(57)【要約】【課題】整流翼を備え、整流翼による風速および風向きの変更を容易に行うことができる扇風機を提供すること。【解決手段】扇風機５０では、ファン１と前ガード２Ａとの間に整流ユニット２０が設けられている。整流ユニット２０は、基部１８と、基部１８から伸び出した整流翼３と、操作部８とを含んでおり、操作部８を操作することにより、整流翼３は、風の流れに対して角度が調整可能である。そのため、操作部８を操作することで整流翼３の角度を調整することによって、整流翼３は、ファン１に送り出される風を引き続き同じ方向へ流したり、抵抗となって風速を下げるとともに風の向きを変えたりすることができる。操作部８は、基部１８に対して外嵌される環状体であるので、操作部８を片手全体で掴んで操作できることから、指先でつまんで操作せざるを得ないような構成に比べて、操作性がよい。【選択図】図１
2010203399.tif 000002
【特許請求の範囲】
【請求項１】
ファンと、前記ファンの前方から前記ファンに物が触れるのを防止するために設けられたガードと、を有する扇風機において、
前記ファンと前記ガードとの間に、前記ファンによって送り出される風の流れを調整するための整流ユニットが設けられ、
前記整流ユニットは、前記ガードの中央に取り付けられた基部と、前記基部から放射状に伸び出した複数枚の整流翼と、前記基部に対して外嵌される環状体であり、前記ガードの前方側から操作可能な操作部とを含み、
前記操作部を操作することにより、前記整流翼は、風の流れに対して角度が調整可能にされていることを特徴とする、扇風機。
【請求項２】
前記整流翼を所定角度で位置決めする位置決め部を含むことを特徴とする、請求項１記載の扇風機。
【請求項３】
前記位置決め部は、前記基部および前記基部内で支えられる前記整流翼の根元部のいずれか一方に設けられる凹部と、前記基部および前記整流翼の根元部のいずれか他方に設けられて前記凹部に嵌る凸部とを含むことを特徴とする、請求項２記載の扇風機。
【請求項４】
前記操作部を操作することにより、前記整流翼は、風を前方へ導く加速位置と、風の流れを側方へ曲げる分散位置とのいずれかに位置を切換えられることができ、
前記位置決め部は、前記整流翼を、前記加速位置および前記分散位置のそれぞれにおいて位置決めすることを特徴とする、請求項２または３記載の扇風機。
【請求項５】
前記基部は、前記複数枚の整流翼の根元部を挟持する一対の樹脂製のホルダと、前記ホルダ同士を組み付けるねじと、前記操作部に連結された環状のラックギヤとを含み、
各前記整流翼の根元部には、前記ラックギヤと噛合するピニオンギヤが設けられていて、
前記操作部を操作することで前記ラックギヤを回動させることにより、前記複数枚の整流翼の角度が一緒に切換わり、
前記ラックギヤにおいて、前記ねじから遠い位置にある前記整流翼に設けられたピニオンギヤと噛合する第１部分は、前記ねじに近い位置にある前記整流翼に設けられたピニオンギヤと噛合する第２部分に比べて、前記ピニオンギヤに近い位置に配置されていることを特徴とする、請求１〜４のいずれかに記載の扇風機。
【請求項６】
扇風機のファンに前方から物が触れるのを防止するためのファンガードであって、
ガード本体と、前記ガード本体に設けられ、前記ガード本体を通過する風の流れを調整するための整流ユニットとを含み、
前記整流ユニットは、前記ガード本体の中央に取り付けられた基部と、前記基部から放射状に伸び出した複数枚の整流翼と、前記基部に対して外嵌される環状体であり、前記ガード本体の前方側から操作可能な操作部とを含み、
前記操作部を操作することにより、前記整流翼は、風の流れに対して角度が調整可能にされていることを特徴とする、ファンガード。
【請求項７】
前記整流翼を所定角度で位置決めする位置決め部を含むことを特徴とする、請求項６記載のファンガード。
【請求項８】
前記位置決め部は、前記基部および前記基部内で支えられる前記整流翼の根元部のいずれか一方に設けられる凹部と、前記基部および前記整流翼の根元部のいずれか他方に設けられて前記凹部に嵌る凸部とを含むことを特徴とする、請求項７記載のファンガード。
【請求項９】
前記操作部を操作することにより、前記整流翼は、風を前方へ導く加速位置と、風の流れを側方へ曲げる分散位置とのいずれかに位置を切換えられることができ、
前記位置決め部は、前記整流翼を、前記加速位置および前記分散位置のそれぞれにおいて位置決めすることを特徴とする、請求項７または８記載のファンガード。
【請求項１０】
前記基部は、前記複数枚の整流翼の根元部を挟持する一対の樹脂製のホルダと、前記ホルダ同士を組み付けるねじと、前記操作部に連結された環状のラックギヤとを含み、
各前記整流翼の根元部には、前記ラックギヤと噛合するピニオンギヤが設けられていて、
前記操作部を操作することで前記ラックギヤを回動させることにより、前記複数枚の整流翼の角度が一緒に切換わり、
前記ラックギヤにおいて、前記ねじから遠い位置にある前記整流翼に設けられたピニオンギヤと噛合する第１部分は、前記ねじに近い位置にある前記整流翼に設けられたピニオンギヤと噛合する第２部分に比べて、前記ピニオンギヤに近い位置に配置されていることを特徴とする、請求項６〜９のいずれかに記載のファンガード。
【発明の詳細な説明】
【技術分野】
【０００１】
この発明は、扇風機、および、扇風機のファンに前方から物が触れるのを防止するためのファンガードに関する。
【背景技術】
【０００２】
一般的な扇風機では、モータによって回転駆動されるファンが設けられており、このファンが回転することによって、風が生成される（たとえば、特許文献１参照）。
特許文献１に記載の冷風扇（扇風機に相当する。）は、筐体と、筐体において開口した側面に固設されたファンとを備えており、ファンが回転することによって生成された風は、筐体の開口から外部へ吐出される。
【０００３】
そして、特許文献１に記載の冷風扇では、ファンの空気吐出側に加速翼（整流翼に相当する。）が設けられており、この加速翼によって、筐体の開口から外部へ吐出される風の速度を上げることができる。
【先行技術文献】
【特許文献】
【０００４】
【特許文献１】特開昭５８−１０６３３７号公報
【発明の概要】
【発明が解決しようとする課題】
【０００５】
特許文献１に記載の冷風扇の加速翼は、風速を一定量上げることができるにすぎず、風速を調整することができない。
一般的な扇風機では、付属のダイヤル等を操作することによってファンの回転速度を変更して風速を調整できるが、加速翼でも風速を調整できれば風速についての選択肢が増えるので、風速に対するユーザの細かい要望に応えることができる。
【０００６】
さらに、加速翼によって、風速に限らず、風向きも変更できると便利である。ここで、加速翼による風速および風向きの変更を容易に行うことができると好ましい。また、加速翼による風速および風向きの変更を安定して行うことができるとより好ましい。
そして、風速および風向きを、加速翼による変更前後のそれぞれの場合において安定して維持できるとより便利である。
【０００７】
この発明は、かかる背景のもとでなされたもので、整流翼を備え、整流翼による風速および風向きの変更を容易に行うことができる扇風機およびファンガードを提供することを主たる目的とする。
そして、この発明は、整流翼を備え、整流翼による風速および風向きの変更を安定して行うことができる扇風機およびファンガードを提供することを別の目的とする。
【０００８】
また、この発明は、整流翼を備え、風速および風向きを、整流翼による変更前後のそれぞれの場合において安定して維持できる扇風機およびファンガードを提供することをさらに別の目的とする。
【課題を解決するための手段】
【０００９】
請求項１記載の発明は、ファンと、前記ファンの前方から前記ファンに物が触れるのを防止するために設けられたガードと、を有する扇風機において、前記ファンと前記ガードとの間に、前記ファンによって送り出される風の流れを調整するための整流ユニットが設けられ、前記整流ユニットは、前記ガードの中央に取り付けられた基部と、前記基部から放射状に伸び出した複数枚の整流翼と、前記基部に対して外嵌される環状体であり、前記ガードの前方側から操作可能な操作部とを含み、前記操作部を操作することにより、前記整流翼は、風の流れに対して角度が調整可能にされていることを特徴とする、扇風機である。
【００１０】
請求項２記載の発明は、前記整流翼を所定角度で位置決めする位置決め部を含むことを特徴とする、請求項１記載の扇風機である。
請求項３記載の発明は、前記位置決め部は、前記基部および前記基部内で支えられる前記整流翼の根元部のいずれか一方に設けられる凹部と、前記基部および前記整流翼の根元部のいずれか他方に設けられて前記凹部に嵌る凸部とを含むことを特徴とする、請求項２記載の扇風機である。
【００１１】
請求項４記載の発明は、前記操作部を操作することにより、前記整流翼は、風を前方へ導く加速位置と、風の流れを側方へ曲げる分散位置とのいずれかに位置を切換えられることができ、前記位置決め部は、前記整流翼を、前記加速位置および前記分散位置のそれぞれにおいて位置決めすることを特徴とする、請求項２または３記載の扇風機である。
請求項５記載の発明は、前記基部は、前記複数枚の整流翼の根元部を挟持する一対の樹脂製のホルダと、前記ホルダ同士を組み付けるねじと、前記操作部に連結された環状のラックギヤとを含み、各前記整流翼の根元部には、前記ラックギヤと噛合するピニオンギヤが設けられていて、前記操作部を操作することで前記ラックギヤを回動させることにより、前記複数枚の整流翼の角度が一緒に切換わり、前記ラックギヤにおいて、前記ねじから遠い位置にある前記整流翼に設けられたピニオンギヤと噛合する第１部分は、前記ねじに近い位置にある前記整流翼に設けられたピニオンギヤと噛合する第２部分に比べて、前記ピニオンギヤに近い位置に配置されていることを特徴とする、請求１〜４のいずれかに記載の扇風機である。
【００１２】
請求項６記載の発明は、扇風機のファンに前方から物が触れるのを防止するためのファンガードであって、ガード本体と、前記ガード本体に設けられ、前記ガード本体を通過する風の流れを調整するための整流ユニットとを含み、前記整流ユニットは、前記ガード本体の中央に取り付けられた基部と、前記基部から放射状に伸び出した複数枚の整流翼と、前記基部に対して外嵌される環状体であり、前記ガード本体の前方側から操作可能な操作部とを含み、前記操作部を操作することにより、前記整流翼は、風の流れに対して角度が調整可能にされていることを特徴とする、ファンガードである。
【００１３】
請求項７記載の発明は、前記整流翼を所定角度で位置決めする位置決め部を含むことを特徴とする、請求項６記載のファンガードである。
請求項８記載の発明は、前記位置決め部は、前記基部および前記基部内で支えられる前記整流翼の根元部のいずれか一方に設けられる凹部と、前記基部および前記整流翼の根元部のいずれか他方に設けられて前記凹部に嵌る凸部とを含むことを特徴とする、請求項７記載のファンガードである。
【００１４】
請求項９記載の発明は、前記操作部を操作することにより、前記整流翼は、風を前方へ導く加速位置と、風の流れを側方へ曲げる分散位置とのいずれかに位置を切換えられることができ、前記位置決め部は、前記整流翼を、前記加速位置および前記分散位置のそれぞれにおいて位置決めすることを特徴とする、請求項７または８記載のファンガードである。
【００１５】
請求項１０記載の発明は、前記基部は、前記複数枚の整流翼の根元部を挟持する一対の樹脂製のホルダと、前記ホルダ同士を組み付けるねじと、前記操作部に連結された環状のラックギヤとを含み、各前記整流翼の根元部には、前記ラックギヤと噛合するピニオンギヤが設けられていて、前記操作部を操作することで前記ラックギヤを回動させることにより、前記複数枚の整流翼の角度が一緒に切換わり、前記ラックギヤにおいて、前記ねじから遠い位置にある前記整流翼に設けられたピニオンギヤと噛合する第１部分は、前記ねじに近い位置にある前記整流翼に設けられたピニオンギヤと噛合する第２部分に比べて、前記ピニオンギヤに近い位置に配置されていることを特徴とする、請求項６〜９のいずれかに記載のファンガードである。
【発明の効果】
【００１６】
請求項１記載の発明によれば、この扇風機では、ファンとガードとの間に、ファンによって送り出される風の流れを調整するための整流ユニットが設けられている。この整流ユニットは、ガードの中央に取り付けられた基部と、基部から放射状に伸び出した複数枚の整流翼と、ガードの前方側から操作可能な操作部とを含んでおり、操作部を操作することにより、整流翼は、風の流れに対して角度が調整可能である。
【００１７】
そのため、操作部を操作することで整流翼の角度を調整することによって、整流翼は、ファンに送り出される風を引き続き同じ方向へ流したり、抵抗となって風速を下げるとともに風の向きを変えたりすることができる。
ここで、操作部は、基部に対して外嵌される環状体であるので、この操作部を片手全体で掴んで操作できることから、指先でつまんで操作せざるを得ないような構成の操作部に比べて、操作性がよい。
【００１８】
つまり、この扇風機では、整流翼による風速および風向きの変更を容易に行うことができる。
請求項２および７記載の発明によれば、位置決め部が整流翼を所定角度で位置決めするので、風速および風向きを、整流翼による変更前後のそれぞれの場合において安定して維持できる。
【００１９】
請求項３および８記載の発明によれば、位置決め部を、基部および基部内で支えられる整流翼の根元部のいずれか一方に設けられる凹部と、基部および整流翼の根元部のいずれか他方に設けられて凹部に嵌る凸部とによって簡易に構成することができる。
請求項４および９記載の発明によれば、操作部を操作することにより、整流翼は、風を前方へ導く加速位置と、風の流れを側方へ曲げる分散位置とのいずれかに切換えられ、これにより、風速および風向きを容易に変えることができる。
【００２０】
そして、位置決め部が、整流翼を、加速位置および分散位置のそれぞれにおいて位置決めすることから、整流翼が加速位置および分散位置のそれぞれにある場合における風速および風向きを、安定して維持できる。
請求項５および１０記載の発明によれば、操作部に連結された環状のラックギヤと、各整流翼の根元部に設けられたピニオンギヤとが噛合しており、操作部を操作することでラックギヤを回動させることにより、複数枚の整流翼の角度が一緒に切換わる。つまり、このようなラックアンドピニオン機構を用いた簡易な構成によって、複数枚の整流翼の角度を一緒に切換えて風速および風向きを変えることができる。
【００２１】
ここで、基部は、複数枚の整流翼の根元部を挟持する一対の樹脂製のホルダと、ホルダ同士を組み付けるねじとを含んでいる。
複数枚の整流翼のうち、ねじに近い位置にある整流翼の根元部は、一対のホルダにおいて撓みにくいに部分で挟持されているので、この整流翼の位置が安定し、この整流翼の根元部に設けられたピニオンギヤとラックギヤとの噛合状態を安定して維持できる。
【００２２】
しかし、複数枚の整流翼のうち、ねじから遠い位置にある整流翼の根元部は、一対のホルダにおいて撓みやすい部分で挟持されているので、この部分が撓むと、この整流翼の位置がずれ、ピニオンギヤとラックギヤとが空回りしたり、さらに、整流翼の根元部に設けられたピニオンギヤがラックギヤから不意に外れたりするおそれがある。
そこで、ラックギヤにおいて、ねじから遠い位置にある整流翼に設けられたピニオンギヤと噛合する第１部分は、ねじに近い位置にある整流翼に設けられたピニオンギヤと噛合する第２部分に比べて、ピニオンギヤに近い位置に配置されている。
【００２３】
これにより、ホルダが撓むことによってねじから遠い位置にある整流翼の位置がずれても、この整流翼の根元部に設けられたピニオンギヤがラックギヤ（第１部分）に対し空回りしたり、ラックギヤから外れたりすることを阻止できる。
つまり、ねじに近い位置にある整流翼だけでなく、ねじから遠い位置にある整流翼であっても、根元部のピニオンギヤとラックギヤとの噛合状態を安定して維持できるので、操作部を操作することでラックギヤを回動させると、全ての整流翼の角度を確実に一緒に切換えることができる。
【００２４】
この結果、整流翼による風速および風向きの変更を安定して行うことができる。
請求項６記載の発明によれば、このファンガードでは、ガード本体に、ガード本体を通過する風の流れを調整するための整流ユニットが設けられている。この整流ユニットは、ガード本体の中央に取り付けられた基部と、基部から放射状に伸び出した複数枚の整流翼と、ガード本体の前方側から操作可能な操作部とを含んでおり、操作部を操作することにより、整流翼は、風の流れに対して角度が調整可能である。
【００２５】
そのため、操作部を操作することで整流翼の角度を調整することによって、整流翼は、ファンに送り出されてガード本体を通過する風を引き続き同じ方向へ流したり、抵抗となって風速を下げるとともに風の向きを変えたりすることができる。
ここで、操作部は、基部に対して外嵌される環状体であるので、この操作部を片手全体で掴んで操作できることから、指先でつまんで操作せざるを得ないような構成の操作部に比べて、操作性がよい。
【００２６】
つまり、このファンガードでは、整流翼による風速および風向きの変更を容易に行うことができる。
【図面の簡単な説明】
【００２７】
【図１】この発明の一実施形態に係る扇風機５０の右側面図であって、要部を断面で示している。
【図２】周方向における第１の位置で切断した場合におけるファンガード３０の断面図である。
【図３】（ａ）は、周方向における第２の位置で切断した場合におけるファンガード３０の要部断面図であり、（ｂ）は、周方向における第３の位置で切断した場合におけるファンガード３０の要部断面図である。
【図４】周方向における第４の位置で切断した場合におけるファンガード３０の断面図である。
【図５】周方向における第５の位置で切断した場合におけるファンガード３０の断面図である。
【図６】（ａ）は、図５のＡ−Ａ矢視図であって、内蓋１１を省略しており、（ｂ）は、図５のＢ−Ｂ矢視図である。
【図７】（ａ）は、整流翼３が加速位置にある状態におけるファンガード３０の正面図であり、（ｂ）は、整流翼３が分散位置にある状態におけるファンガード３０の正面図である。
【図８】（ａ）は、図５の要部拡大図であって、（ｂ）は、図４の要部拡大図である。
【図９】（ａ）は、図８（ａ）において整流翼３の位置が加速位置から分散位置に変わった状態を示しており、（ｂ）は、図８（ｂ）において整流翼３の位置が加速位置から分散位置に変わった状態を示している。
【発明を実施するための形態】
【００２８】
以下には、図面を参照して、この発明の実施形態について具体的に説明する。
図１は、この発明の一実施形態に係る扇風機５０の右側面図であって、要部を断面で示している。
この発明に係る扇風機５０は、台座６０と、台座６０から上方へ延びる支柱７０と、支柱７０の上端に取り付けられる頭部８０を備えている。図１では、扇風機５０の頭部８０に取付けられるファン１、ガードユニット２および整流翼３が示されている。
【００２９】
ファン１は、正面（紙面左側）から見て放射状に延びる複数枚の羽根４を一体化することによって構成されている。これらの羽根４は、周方向（正面から見た場合における時計回りまたは反時計周りの方向であり、以下同じ。）に等しい間隔を隔てて並んでいる。ファン１の中心部分（複数枚の羽根４の接続部分）は、頭部８０に内蔵されたモータ（図示せず）の駆動軸８１に組み付けられている。モータ（図示せず）が駆動されると、ファン１は、その中心部分を中心として、周方向へ回転する。ファン１は、回転することによって、前方（正面）へ風を送り出す（太い実線矢印参照）。
【００３０】
ガードユニット２は、前ガード２Ａ（ガード、ガード本体）と後ガード２Ｂとに前後に分割可能である。
前ガード２Ａは、正面視で円形をなし（後述する図７も参照）、前側へ膨出する鉢形状であり、その円中心から放射状に延びる複数本の金属ワイヤ５によって籠状に形成されている。後ガード２Ｂは、正面視で円形をなし、後側へ膨出する鉢形状であり、前ガード２Ａと同様に、複数本の金属ワイヤ５によって籠状に形成されている。
【００３１】
前ガード２Ａの後側周縁部と後ガード２Ｂの前側周縁部とを嵌め合わせることによってガードユニット２が構成されている。
ガードユニット２は、その内側（前ガード２Ａと後ガード２Ｂとに囲まれた空間）にファン１を収容している。この状態で、前ガード２Ａがファン１を前側から覆っており、後ガード２Ｂがファン１を後側から覆っている。この状態で、ガードユニット２（前ガード２Ａおよび後ガード２Ｂ）の円中心とファン１の回転中心とは、正面から見てほぼ一致している。ガードユニット２において、前ガード２Ａは、ファン１の前方からファン１に物が触れるのを防止し、後ガード２Ｂは、ファン１の後方からファン１に物が触れるのを防止する。
【００３２】
前ガード２Ａの円中心部分（前端部）には、円板状のガードオーナメントリム６が正面側から取り付けられ、前ガード２Ａとガードオーナメントリム６とは、一体化されている。ガードオーナメントリム６の円中心と、前ガード２Ａの円中心とは、正面から見てほぼ一致している。ガードオーナメントリム６の円中心位置には、ガードオーナメントリム６と同心の丸穴７が形成されている。丸穴７は、ガードオーナメントリム６の円中心部分（換言すれば前ガード２Ａの円中心部分）を貫通している。
【００３３】
この扇風機５０では、ファン１と前ガード２Ａとの間に、ファン１によって前方へ送り出されて前ガード２Ａを通過する風の流れを調整するための整流ユニット２０が設けられており、図１では、整流ユニット２０に含まれる複数枚（ここでは１０枚）の整流翼３が示されている。これらの整流翼３は、正面から見て、丸穴７（換言すればファン１の回転中心）を中心とする放射状に延びており、周方向に等しい間隔を隔てて並んでいる。これらの整流翼３を含め、整流ユニット２０全体は、前ガード２Ａに支持されており、ファン１に接触していない。ここで、前ガード２Ａと整流ユニット２０とのまとまりをファンガード３０という。ファンガード３０は、扇風機５０から離れて独立した商品として取引され、たとえば、既存の扇風機５０の前ガード２Ａと交換して使用され得る。
【００３４】
ガードオーナメントリム６の丸穴７には、正面から見て環状をなす操作部８の後端部が前から遊嵌されている。操作部８の外径は、ガードオーナメントリム６の外径よりやや大きい。操作部８の内側周縁部は、全域に亘って後側へ僅かに折れ曲げられており、この部分が、操作部８の後端部をなす。この状態で、操作部８は、前ガード２Ａから正面側へ露出されており、正面から見て、丸穴７を中心として、周方向に回動自在である。
【００３５】
前ガード２Ａの前方側から、操作部８を、その径方向外側から掴み、正面から見て周方向に捩じる（操作する）と操作部８が回動し、これにより、後述するように整流翼３の位置を切換えることができる。ここで、操作部８の前側面の外周縁には、操作部８の円中心へ向けて円弧状にへこむ窪み８Ａが、操作部８の周方向に沿って多数形成されているので（後述する図７参照）、指が窪み８Ａに嵌ることにより、操作部８を容易かつ確実に掴むことができる。
【００３６】
図２は、周方向における第１の位置で切断した場合におけるファンガード３０の断面図である。
次に、整流ユニット２０について、詳しく説明する。図２に示すように、整流ユニット２０は、上述した整流翼３および操作部８と、基部１８とを含んでいる。ここで、整流ユニット２０は、後述するねじ以外の全ての部品が樹脂で形成されている。
【００３７】
整流翼３は、前ガード２Ａの円中心側（丸穴７側）にあって前ガード２Ａの径方向外側へ延びる略円柱状の根元部３Ｎと、根元部３Ｎから連続して延び、前ガード２Ａの径方向外側へ向かって次第に細くなる略三角形の板状の翼部３Ｔとを一体的に含んでいる。
基部１８は、ガードオーナメントリム６に支持されており、換言すれば、前ガード２Ａの中央に取り付けられている。基部１８は、ガードオーナメント９と、ギヤケース１０と、内蓋１１と、外蓋１２とを含んでいる。ここで、内蓋１１および外蓋１２は、一対のホルダとして機能する。
【００３８】
そして、ガードオーナメント９、ギヤケース１０、内蓋１１および外蓋１２は、前側（図２では左側）からこの順で配置されている。詳しくは、ガードオーナメントリム６に対して、ガードオーナメント９は、前側に位置し、ギヤケース１０、内蓋１１および外蓋１２は、後側に位置している。ここで、外蓋１２が、ファン１に対して前側から隣接しているものの、ファン１に接触していない（図１参照）。
【００３９】
ガードオーナメント９、ギヤケース１０、内蓋１１および外蓋１２は、いずれも、上述した操作部８と同心の円盤形状である。詳しくは、ガードオーナメント９は、外周縁が全域に亘って後側へ折り曲げられた円板である。そして、ギヤケース１０、内蓋１１および外蓋１２は、環状体であり、ギヤケース１０の内周縁および外周縁のそれぞれは、全域に亘って後側へ折り曲げられており、外蓋１２の内周縁および外周縁のそれぞれは、全域に亘って前側へ折り曲げられている。ガードオーナメント９の外径は、環状の操作部８の内径より僅かに小さい。ギヤケース１０および外蓋１２の各外径は、ほぼ同じであり、ガードオーナメントリム６の外径とほぼ同じである。また、ギヤケース１０および外蓋１２の各内径は、ほぼ同じである。内蓋１１の外径は、ギヤケース１０および外蓋１２の各外径より小さく、内蓋１１の内径は、ギヤケース１０および外蓋１２の各内径より大きい。
【００４０】
上述した操作部８は、基部１８に備えられている。詳しくは、環状の操作部８の内側に、ガードオーナメント９が配置されており、操作部８は、ガードオーナメント９において、基部１８に対して外嵌されている。この状態で、操作部８とギヤケース１０とが、ねじ２２によって一体化されている。そのため、上述したように操作部８が回動すると、ギヤケース１０は、操作部８と一緒に回動し、詳しくは、ガードオーナメントリム６に対して相対回動する。換言すれば、操作部８およびギヤケース１０は、一体となって、ガードオーナメントリム６によって周方向へ回動自在に支持されている。
【００４１】
図３において、（ａ）は、周方向における第２の位置で切断した場合におけるファンガード３０の要部断面図であり、（ｂ）は、周方向における第３の位置で切断した場合におけるファンガード３０の要部断面図である。
そして、図３（ａ）に示すように、ギヤケース１０の後側（図３では右側）周縁には、整流翼３と同じ数（１０個）の切欠き１３が、周方向に等しい間隔を隔てて形成されている。各切欠き１３は、ギヤケース１０の後側周縁を前側へ向かって略Ｕ字状に切欠いており、周方向に長手である。各切欠き１３には、対応する整流翼３の根元部３Ｎ（詳しくは根元部３Ｎの略前半分）が、ギヤケース１０の径方向における外側から遊嵌されており（図２参照）、これにより、これらの整流翼３は、基部１８から放射状に伸び出している（後述する図７も参照）。換言すれば、各整流翼３の根元部３Ｎは、ギヤケース１０（基部１８内）で支えられている。
【００４２】
外蓋１２は、その前側周縁がギヤケース１０の後側周縁に後側から対向した状態で、ギヤケース１０でなく、ガードオーナメントリム６に後側から組み付けられている。換言すれば、外蓋１２は、ガードオーナメントリム６に固定されている。
詳しくは、操作部８の内側のガードオーナメント９（ガードオーナメント９において後向きに凸設され、操作部８の内側周縁部の貫通穴８Ｂに前側から遊嵌されたボス部９Ａ）と、外蓋１２（外蓋１２において前向きに凸設され、ギヤケース１０の貫通穴１０Ａに後側から遊嵌されたボス部１２Ａ）とが、前後方向（図３（ａ）における左右方向）においてガードオーナメントリム６を挟んだ状態で、ねじ２４によって一体化されている。
【００４３】
そのため、上述したようにギヤケース１０および操作部８が回動しても、ガードオーナメント９および外蓋１２は静止している。ただし、ギヤケース１０の後側周縁に設けられた爪３２（後述する図８（ａ）参照）が外蓋１２に対して引っ掛かっているので、ギヤケース１０と外蓋１２との前後方向における相対位置は安定している。なお、上述したように、ガードオーナメント９のボス部９Ａが、操作部８の貫通穴８Ｂに遊嵌されており、外蓋１２のボス部１２Ａが、ギヤケース１０の貫通穴１０Ａに遊嵌されているので、これらのボス部９Ａおよび１２Ａは、ギヤケース１０および操作部８の回動を邪魔しない。
【００４４】
上述したように外蓋１２がガードオーナメントリム６に組み付けられた状態において、図３（ｂ）に示すように、外蓋１２において外側周縁部を除く部分における前側面（図３（ｂ）では左側面）と、ギヤケース１０において外側周縁部を除く部分における後側面（図３（ｂ）では右側面）との間には、所定の隙間Ｘが確保されている。上述したようにギヤケース１０の切欠き１３に遊嵌された整流翼３の根元部３Ｎは、隙間Ｘ内に配置される（図２参照）。
【００４５】
そして、上述した内蓋１１も、隙間Ｘ内に配置されており、ギヤケース１０でなく、外蓋１２に対して、前側からねじ２６によって組み付けられている。そのため、上述したようにギヤケース１０および操作部８が回動しても、内蓋１１は、外蓋１２とともに静止している。ここで、上述したねじ２２、２４および２６は、基部１８の一部である。
図４は、周方向における第４の位置で切断した場合におけるファンガード３０の断面図である。
【００４６】
内蓋１１が外蓋１２に組み付けられた状態において、各整流翼３の根元部３Ｎは、図４に示すように、内蓋１１と外蓋１２とによって前後から挟持されており、この状態で、各整流翼３は、根元部３Ｎが延びる方向（つまり前ガード２Ａの径方向）に延びる基準線を中心として、根元部３Ｎの外周面の周方向に沿って回動自在である。そのため、整流翼３（厳密には翼部３Ｔ）は、ファン１（図１参照）によって前方へ送り出される風の流れ（図１における太い実線矢印を参照）に対して角度が調整可能である（以降で詳説する。）。
【００４７】
ここで、上述したようにギヤケース１０および操作部８が回動しても内蓋１１および外蓋１２（外蓋１２に一体化されたガードオーナメント９も含む）が静止していることから、内蓋１１と外蓋１２とに挟持される整流翼３は、ギヤケース１０および操作部８の回動方向に沿って回動しない。
詳しくは、外蓋１２の前側（図４における左側）周縁には、整流翼３と同じ数（１０個）の切欠き２８が周方向に等しい間隔を隔てて形成されている。各切欠き２８は、外蓋１２の前側周縁を後側へ向かって略Ｕ字状に切欠いており、各切欠き２８に、対応する整流翼３の根元部３Ｎ（詳しくは根元部３Ｎの略後半分）がほとんど隙間なく嵌め込まれることで、各整流翼３が周方向（ギヤケース１０および操作部８の回動方向）において位置決めされている。
【００４８】
図５は、周方向における第５の位置で切断した場合におけるファンガード３０の断面図である。
図５に示すように、ギヤケース１０の後側面（図５では右側面）において各整流翼３の根元部３Ｎとほぼ一致する位置には、ラックギヤ１５が形成されている。上述したように操作部８とギヤケース１０とが一体化されていることから、ラックギヤ１５は、操作部８に連結されている。
【００４９】
図６において、（ａ）は、図５のＡ−Ａ矢視図であって、内蓋１１を省略しており、（ｂ）は、図５のＢ−Ｂ矢視図である。
図６（ａ）に示すように、ラックギヤ１５は、整流翼３の枚数（１０枚）に対応しており、ギヤケース１０の周方向において等しい間隔を隔てた１０箇所に形成されている。そのため、ラックギヤ１５は、全体として、ギヤケース１０と同心の環状をなしている。各ラックギヤ１５を構成する複数のギヤ歯は、ギヤケース１０の周方向に対する接線方向に沿って並んでいる。
【００５０】
図６（ｂ）を参照して、ギヤケース１０に対して後側（図５における右側）に位置する内蓋１１（ドットで塗り潰した部分参照）には、ラックギヤ１５（図６（ａ）参照）を後側（図６（ｂ）における紙面奥側）へ露出させる露出穴１６が形成されている。
そして、各整流翼３の根元部３Ｎの外周面において、内蓋１１の各露出穴１６から露出されたラックギヤ１５（図６（ａ）参照）に後側から対向する部分には、ピニオンギヤ１７が一体的に設けられている。
【００５１】
各整流翼３において、ピニオンギヤ１７を構成する複数のギヤ歯は、根元部３Ｎの外周面の周方向に沿って並んでいる。ピニオンギヤ１７は、対応するラックギヤ１５と噛合している（図６（ａ）参照）。
ここで、図６（ａ）に示すように、ギヤケース１０の周方向において等しい間隔を隔てた１０箇所に形成されたラックギヤ１５を、周方向に沿って、ラックギヤ１５Ａ、ラックギヤ１５Ｂ…ラックギヤ１５Ｉ、ラックギヤ１５Ｊと区別する。また、各ラックギヤ１５Ａ〜１５Ｊのそれぞれに対応する（周方向で一致する）整流翼３およびそのピニオンギヤ１７を、ラックギヤ１５Ａ〜１５Ｊと同様に、整流翼３Ａ〜３Ｊおよびピニオンギヤ１７Ａ〜１７Ｊと区別する（図６（ｂ）も参照）。
【００５２】
ラックギヤ１５Ａはピニオンギヤ１７Ａと噛合し、ラックギヤ１５Ｂはピニオンギヤ１７Ｂと噛合し、ラックギヤ１５Ｃはピニオンギヤ１７Ｃと噛合し、ラックギヤ１５Ｄはピニオンギヤ１７Ｄと噛合している。そして、ラックギヤ１５Ｅはピニオンギヤ１７Ｅと噛合し、ラックギヤ１５Ｆはピニオンギヤ１７Ｆと噛合し、ラックギヤ１５Ｇはピニオンギヤ１７Ｇと噛合し、ラックギヤ１５Ｈはピニオンギヤ１７Ｈと噛合し、ラックギヤ１５Ｉはピニオンギヤ１７Ｉと噛合し、ラックギヤ１５Ｊはピニオンギヤ１７Ｊと噛合している。
【００５３】
そして、図６（ｂ）に示すように、上述したように内蓋１１を外蓋１２に組み付けるねじ２６は、周方向に間隔を隔てて４つ設けられている。
そして、整流翼３Ａ、Ｂ、Ｃ、Ｅ、Ｆ、Ｇ、ＨおよびＪの各根元部３Ｎは、内蓋１１および外蓋１２のそれぞれにおいてねじ２６に近い部分によって挟持されており、整流翼３ＤおよびＩの各根元部３Ｎは、内蓋１１および外蓋１２のそれぞれにおいてねじ２６から遠い部分によって挟持されている。つまり、周方向において、整流翼３Ａ、Ｂ、Ｃ、Ｅ、Ｆ、Ｇ、ＨおよびＪは、いずれかのねじ２６に近い位置にあり、整流翼３ＤおよびＩは、いずれのねじ２６からも遠い位置にある。
【００５４】
ここで、図６（ａ）を参照して、整流翼３Ｄに設けられたピニオンギヤ１７Ｄと噛合するラックギヤ１５Ｄと、整流翼３Ｉに設けられたピニオンギヤ１７Ｉと噛合するラックギヤ１５Ｉとは、他のラックギヤ１５Ａ、Ｂ、Ｃ、Ｅ、Ｆ、Ｇ、ＨおよびＪに比べて、対応するピニオンギヤ１７ＤおよびＩに対して近い位置（後側（図６（ａ）では手前側）へずれた位置）に配置されている。ただし、ラックギヤ１５ＤおよびＩ（第１部分）は、他のラックギヤ１５Ａ、Ｂ、Ｃ、Ｅ、Ｆ、Ｇ、ＨおよびＪ（第２部分）に対して、前後の位置のみが異なるものの、ギヤの歯の寸法（モジュール等）自体は、同じである。
【００５５】
図７において、（ａ）は、整流翼３が加速位置にある状態におけるファンガード３０の正面図であり、（ｂ）は、整流翼３が分散位置にある状態におけるファンガード３０の正面図である。
ここで、上述したように操作部８を操作して回動させると、ラックギヤ１５（ラックギヤ１５Ａ〜Ｊ）も操作部８とともに回動し、これにより、各整流翼３の位置が一度に変わる。詳しくは、各整流翼３は、加速位置（図１〜図７（ａ）および後述する図８参照）と分散位置（図７（ｂ）および後述する図９参照）とのいずれかの位置に切換わる。
【００５６】
ここで、図７に示すように、操作部８の前側面の周上１箇所には、第１マーク３４が設けられている。そして、ガードオーナメント９の前側面の外周縁部の周上１箇所には、「スポット」という加速位置を示す文字が記載された第２マーク３５と、「ワイド」という分散位置を示す文字が記載された第３マーク３６とが設けられている。正面から見て、整流翼３が加速位置にあるときには、第１マーク３４と第２マーク３５とが周方向において一致し（図７（ａ）参照）、整流翼３が分散位置にあるときには、第１マーク３４と第３マーク３６とが周方向において一致する（図７（ｂ）参照）。
【００５７】
加速位置にある整流翼３（詳しくは翼部３Ｔ）は、図７（ａ）に示すように、前後方向（図７の紙厚方向であり、ファン１（図１参照）によって前方（図７の手前側）へ送り出される風の流れる方向）に沿って平たくなっており（図１〜６および図８も参照）、正面から見たときに最も細く（小さく）見える。このとき、ファン１によって前方（図７では手前側）へ送り出される風の流れに対する整流翼３（翼部３Ｔ）の角度（傾斜角度）は、ほぼ０°となっている。
【００５８】
また、図１に示すように、整流翼３が加速位置にある状態において、翼部３Ｔは、前ガード２Ａの周方向（ファン１の回転方向）から見たときに、上述した略三角形をなしている。そして、図６（ａ）を参照して、各整流翼３の根元部３Ｎは、ギヤケース１０で対応する切欠き１３において、ギヤケース１０の周方向における一端部１３Ａ（図６（ａ）では時計回りの方向における上流側端部）に位置している。
【００５９】
図７（ａ）に示すように、このように整流翼３が加速位置にある状態で、上述したように操作部８を掴んで、正面から見て時計回りの方向へ所定量捩じると、操作部８に一体化されたギヤケース１０も、正面から見て時計回りの方向へ、操作部８を捩じった量と同じ量だけ回動する。これにより、図６（ａ）に示すギヤケース１０のラックギヤ１５も、ギヤケース１０とともに回動する。各ラックギヤ１５には、対応する整流翼３の根元部３Ｎのピニオンギヤ１７が噛合しているので、ラックギヤ１５の回動に伴い、各整流翼３は、根元部３Ｎが延びる方向（つまり前ガード２Ａの径方向）に沿う基準線を中心として、根元部３Ｎの外周面の周方向に沿って９０°回動する。このとき、図７を参照して、ファン１（図１参照）によって前方へ送り出される風の流れに対する各整流翼３（翼部３Ｔ）の角度が、上述した０°（図７（ａ）参照）から９０°へと、一緒に切換わる（図７（ｂ）参照）。その結果、全ての整流翼３が、加速位置（図７（ａ）参照）から分散位置（図７（ｂ）参照）に切換わる。
【００６０】
ここで、図６（ａ）を参照して、ギヤケース１０は、上述したように回動する際、各整流翼３に対して、ギヤケース１０の回動方向において相対移動する。そのため、整流翼３が加速位置から分散位置に切換わったとき、各整流翼３の根元部３Ｎは、ギヤケース１０で対応する切欠き１３において、上述した一端部１３Ａとは反対の他端部１３Ｂ（図６（ａ）では時計回りの方向における下流側端部）に位置する。
【００６１】
分散位置にある整流翼３は、図７（ｂ）に示すように、上下左右方向に沿って平たくなっており、正面から見たときに最も太く（大きく）見え、上述した略三角形をなしている。このとき、ファン１によって前方（図７（ｂ）では手前側）へ送り出される風の流れに対する整流翼３（翼部３Ｔ）の角度（傾斜角度）は、ほぼ９０°となっている。
そして、このように整流翼３が分散位置にある状態で、操作部８を掴んで、正面から見て反時計回りの方向へ上述した所定量だけ捩じると、整流翼３の姿勢は、分散位置から加速位置に戻る（図７（ａ）参照）。
【００６２】
以上のように、操作部８を操作することにより、整流翼３は、図７に示すように加速位置と分散位置との間で位置を切換えることができる。そして、正面から見たときの整流翼３は、分散位置にあるときに最も大きく（図７（ｂ）参照）、加速位置にあるときに最も小さい（図７（ａ）参照）。
つまり、図７（ｂ）に示すように分散位置にある整流翼３は、加速位置にある場合に比べて、広い範囲でファン１（図１）を前側から覆う。そのため、ファン１によって前方へ送り出される風の大部分は、分散位置にある整流翼３（翼部３Ｔ）にぶつかることによって、風の流れが側方（前ガード２Ａの径方向外側）へ曲げられ、正面から見て放射状に拡散する（図７（ｂ）の太い破線矢印参照）。その結果、前ガード２Ａ（図１参照）から前側へ流れる風の量が減少し、風速が低下する。
【００６３】
一方、図７（ａ）に示すように整流翼３が加速位置にある場合には、分散位置にある場合に比べて、整流翼３がファン１を前側から覆う範囲が大幅に狭いことから、整流翼３は、ファン１によって前方へ送り出される風の妨げとならない。むしろ、加速位置にある整流翼３（翼部３Ｔ）は、図１に示すように前後方向に平たいことから、前方へ送り出される風を引き続き前方へ導く（図１の太い実線矢印参照）。これにより、この風は、前ガード２Ａから前側へ円滑に流れる。そのため、整流翼３が分散位置にある場合（図７（ｂ）参照）に比べて、前ガード２Ａ（ガードユニット２）から前側へ流れる風の量が増加し、風速が上昇する。
【００６４】
このように、操作部８を操作して整流翼３を分散位置と加速位置との間で変化させることにより、整流翼３は、ファン１によって前方へ送り出される風の流れ対して角度が調整可能である。
この扇風機５０では、上述した台座６０等に設けられた操作パネル（図示せず）のダイヤル等（図示せず）を操作することによって、ファン１の回転速度（すなわち風速）を切り換えることができるが、上述したように整流翼３を加速位置と分散位置との間で切換えることによって、風速の微調整が可能となる。
【００６５】
すなわち、上記ダイヤル（図示せず）を操作してファン１の回転速度を最高速度に設定しておいてから、さらに整流翼３を加速位置（図１〜図７（ａ）および図８参照）に切換えることによって、風速をさらに上昇させて、強い風を発生させることができる。一方、上記ダイヤル（図示せず）を操作してファン１の回転速度を最低速度に設定しておいてから、さらに整流翼３を分散位置（図７（ｂ）および図９参照）に切換えることによって、風速をさらに低下させて、柔らかい風を発生させることができる。
【００６６】
また、整流翼３が加速位置（図７（ａ）参照）から分散位置（図７（ｂ）参照）へ切換わるのに従って、上述した前方へ送り出される風の流れに対する整流翼３の角度が０°から９０°へ向けて次第に大きくなり、これに伴い、正面から見たときの整流翼３（つまり整流翼３がファン１を前側から覆う範囲）が次第に大きくなる。これにより、整流翼３を加速位置と分散位置との間の任意の位置にすれば、風速のさらなる微調整が可能となり、よりユーザの好みに合った風を発生させることができる。
【００６７】
ここで、加速位置と分散位置との間で切換えることができる整流翼３（詳しくは翼部３Ｔ）の大きさは、いずれの位置においてもファン１や前ガード２Ａにぶつからない程度に、定められているが、整流翼３（翼部３Ｔ）をできる限り大きくしておくとよい。これにより、整流翼３は、分散位置にあるときには（図７（ｂ）参照）、一層広い範囲でファン１を前側から覆うことができるので、前ガード２Ａから前側へ流れる風の量の減少と風速の低下とを促進することができる。一方、整流翼３は、加速位置にあるときには（図７（ａ）参照）、前側へ向いて流れる風を前側へ効果的に導くことがきるので（換言すれば整流翼３による整流効果が高まるので）、前ガード２Ａから前側へ流れる風の量の増加と風速の上昇とを促進することができる。
【００６８】
以上のように、この扇風機５０では、図３に示すように、ファン１（図１参照）と前ガード２Ａとの間に整流ユニット２０が設けられている。整流ユニット２０では、前ガード２Ａの中央に取り付けられた基部１８から放射状に伸び出した複数枚の整流翼３が、操作部８を操作することにより、風の流れに対して角度が調整可能である（図７参照）。
そのため、操作部８を操作することで整流翼３の角度を調整することによって、整流翼３は、ファン１に送り出される風を引き続き同じ方向へ流したり（図１〜図７（ａ）および図８参照）、抵抗となって風速を下げるとともに風の向きを変えたりすることができる（図７（ｂ）および図９参照）。
【００６９】
ここで、操作部８は、基部１８に対して外嵌される環状体であるので（図７参照）、この操作部８を片手全体で掴んで操作できることから、指先でつまんで操作せざるを得ないような構成の操作部８に比べて、小さい力で操作できるため、操作性がよい。
つまり、この扇風機５０では、整流翼３による風速および風向きの変更を容易に行うことができる。
【００７０】
また、前ガード２Ａの前方側から操作部８を操作することにより、整流翼３は、風を前方へ導く加速位置（図１〜図７（ａ）および図８参照）と、風の流れを側方へ曲げる分散位置（図７（ｂ）および図９参照）とのいずれかに切換えられ、これにより、風速および風向きを容易に変えることができる。
そして、図５および図６に示すようなラックアンドピニオン機構を用いた簡易な構成によって、複数枚の整流翼３の角度（換言すれば加速位置と分散位置との間の位置）を一緒に切換えて風速および風向きを変えることができる。もちろん、ラックアンドピニオン機構に限らず、別の機構を用いて整流翼３の角度を変えてもよい。
【００７１】
ここで、図６（ｂ）を参照して、上述したように、複数枚の整流翼３のうち、内蓋１１と外蓋１２とを組み付けるねじ２６に近い位置にある整流翼３Ａ、Ｂ、Ｃ、Ｅ、Ｆ、Ｇ、ＨおよびＪの根元部３Ｎは、内蓋１１および外蓋１２において撓みにくいに部分で挟持されている。そのため、これらの整流翼３Ａ、Ｂ、Ｃ、Ｅ、Ｆ、Ｇ、ＨおよびＪの位置が安定し、これらの整流翼３の根元部３Ｎに設けられたピニオンギヤ１７と対応するラックギヤ１５Ａ、Ｂ、Ｃ、Ｅ、Ｆ、Ｇ、ＨおよびＪ（図６（ａ）参照）との噛合状態を安定して維持できる。
【００７２】
しかし、複数枚の整流翼３のうち、整流翼３Ａ、Ｂ、Ｃ、Ｅ、Ｆ、Ｇ、ＨおよびＪに比べてねじ２６から遠い位置にある整流翼３ＤおよびＩの根元部３Ｎは、内蓋１１および外蓋１２において撓みやすい部分で挟持されている。そのため、この部分が撓むと、これら整流翼３ＤおよびＩの位置が後側（図６（ａ）における手前側であり、図６（ｂ）における奥側）へずれ、整流翼３ＤおよびＩの根元部３Ｎに設けられたピニオンギヤ１７が、対応するラックギヤ１５ＤまたはＩ（図６（ａ）参照）に対して歯飛び（空回り）したり、ラックギヤ１５ＤまたはＩから不意に外れたりするおそれがある。
【００７３】
特に、操作部８の操作に応じて整流翼３が円滑に回動するように、互いに噛合するラックギヤ１５およびピニオンギヤ１７のモジュールが比較的小さく設定されていることから、整流翼３が少しでもずれると、ピニオンギヤ１７がラックギヤ１５から外れやすくなる。
そこで、本発明では、ねじ２６から遠い位置にある整流翼３（３ＤおよびＩ）に設けられたピニオンギヤ１７（１７ＤおよびＩ）と噛合するラックギヤ１５（１５ＤおよびＩ）を、ねじ２６に近い位置にある整流翼３のピニオンギヤ１７と噛合するラックギヤ１５Ａ、Ｂ、Ｃ、Ｅ、Ｆ、Ｇ、ＨおよびＪに比べて、たとえば０．１ｍｍ〜０．２ｍｍ程度、ピニオンギヤ１７に近い位置に配置している（図６（ａ）参照）。
【００７４】
これにより、ねじ２６を締め付けすぎることなどで内蓋１１および外蓋１２が撓むことによってねじ２６から遠い位置にある整流翼３ＤおよびＩの位置がずれても、これらの整流翼３ＤおよびＩの根元部３Ｎに設けられたピニオンギヤ１７ＤおよびＩが、対応するラックギヤ１５（１５ＤおよびＩ）に対し空回りしたり、ラックギヤ１５から外れたりすることを阻止できる（図６（ａ）参照）。
【００７５】
つまり、ねじ２６に近い位置にある整流翼３だけでなく、ねじ２６から遠い位置にある整流翼３であっても、根元部３Ｎのピニオンギヤ１７とラックギヤ１５との噛合状態を安定して維持できるので、操作部８を操作することでラックギヤ１５を回動させると、全ての整流翼３の角度を確実に一緒に切換えることができる。
この結果、整流翼３による風速および風向きの変更を安定して行うことができる。
【００７６】
図８において、（ａ）は、図５の要部拡大図であって、（ｂ）は、図４の要部拡大図である。図９において、（ａ）は、図８（ａ）において整流翼３の位置が加速位置から分散位置に変わった状態を示しており、（ｂ）は、図８（ｂ）において整流翼３の位置が加速位置から分散位置に変わった状態を示している。
ここで、図８（ｂ）に示すように、整流ユニット２０は、各整流翼３を所定角度で位置決めする位置決め部４０を含んでいる。これにより、整流翼３が所定角度にあるときにおける風速および風向きを、整流翼３による変更前後のそれぞれの場合において安定して維持できる。
【００７７】
詳しくは、各整流翼３の根元部３Ｎの外周面において、整流翼３の位置が加速位置と分散位置との間で変わる際に内蓋１１と接触する部分には、２つの凸部４１が、根元部３Ｎの外周面の周方向に間隔を隔てて形成されている。各凸部４１は、根元部３Ｎの外周面から、根元部３Ｎの径方向外側へ僅かに突出している。
一方、内蓋１１において各整流翼３の根元部３Ｎの外周面に接触する部分には、根元部３Ｎの外周面に沿う円弧面１１Ａが形成されており、この円弧面１１Ａには、２つの凹部４２が、円弧面１１Ａの周方向（根元部３Ｎの外周面の周方向と同じ）に間隔を隔てて形成されている。これら２つの凹部４２は、上下に離れている（図８（ｂ）において破線で囲った部分の拡大図を参照）。
【００７８】
ここで、根元部３Ｎの外周面の周長を基準として、２つの凸部４１の間隔は、前記周長の約４分の１であり、２つの凹部４２の間隔は、前記周長の約半分である。そして、これらの凸部４１および凹部４２が、上述した位置決め部４０として機能する。つまり、位置決め部４０を、凸部４１と凹部４２とによって簡易に構成することができる。
そして、各整流翼３が図８（ｂ）に示すように加速位置にあるときには、各整流翼３の根元部３Ｎの２つの凸部４１のうち、一方の凸部４１だけが、対応する円弧面１１Ａの凹部４２（詳しくは２つの凹部４２のうちの下側の凹部４２であり、拡大図参照）に嵌っている。これにより、整流翼３の、根元部３Ｎの外周面の周方向に沿った回動が規制され、各整流翼３は、加速位置で位置決めされる。
【００７９】
この状態で、操作部８を所定以上の力で操作することで、整流翼３を、加速位置から分散位置へ向かうように回動させると、上述した下側の凹部４２に嵌っていた凸部４１がこの凹部４２から外れる。そして、整流翼３の位置が分散位置に変わると、今度は、図９（ｂ）に示すように、上述した一方の凸部４１とは別の（他方の）凸部４１が、２つの凹部４２のうちの上側の凹部４２（図９（ｂ）において破線で囲った部分の拡大図を参照）に嵌る。これにより、整流翼３の、根元部３Ｎの外周面の周方向に沿った回動が規制され、各整流翼３は、分散位置で位置決めされる。
【００８０】
そして、操作部８を所定以上の力で操作することで、整流翼３を、分散位置から加速位置へ向かうように回動させると、上述した上側の凹部４２に嵌っていた凸部４１がこの凹部４２から外れる。
このように位置決め部４０（凸部４１および凹部４２）は、対応する整流翼３を、加速位置（図８（ｂ）参照）および分散位置（図９（ｂ））のそれぞれにおいて位置決めする。そのため、整流翼３が加速位置および分散位置のそれぞれにある場合における風速および風向きを、安定して維持できる。
【００８１】
そして、操作部８を操作して整流翼３の位置を加速位置および分散位置のそれぞれに変える毎に、凸部４１が凹部４２に嵌ることから、操作部８の操作に、いわゆるクリック感を与えることができ、操作部８の操作性が向上する。
なお、凸部４１は、根元部３Ｎの代わりに円弧面１１Ａ（基部１８）に設けられてもよく、この場合には、凹部４２が、円弧面１１Ａ（基部１８）でなく、根元部３Ｎに設けられる。
【００８２】
そして、整流翼３が加速位置と分散位置との間の任意の位置にあるときにおいても、その位置で整流翼３を位置決めできるように、凸部４１および凹部４２の数を適宜増加してもよい。
この発明は、以上の実施形態の内容に限定されるものではなく、請求項記載の範囲内において種々の変更が可能である。
【符号の説明】
【００８３】
１      ファン
２Ａ    前ガード（ガード、ガード本体）
３      整流翼
３Ｎ    根元部
８      操作部
１１    内蓋（ホルダ）
１２    外蓋（ホルダ）
１５Ａ  ラックギヤ（第２部分）
１５Ｂ  ラックギヤ（第２部分）
１５Ｃ  ラックギヤ（第２部分）
１５Ｄ  ラックギヤ（第１部分）
１５Ｅ  ラックギヤ（第２部分）
１５Ｆ  ラックギヤ（第２部分）
１５Ｇ  ラックギヤ（第２部分）
１５Ｈ  ラックギヤ（第２部分）
１５Ｉ  ラックギヤ（第１部分）
１５Ｊ  ラックギヤ（第２部分）
１７    ピニオンギヤ
１８    基部
２０    整流ユニット
２６    ねじ
３０    ファンガード
４０    位置決め部
４１    凸部
４２    凹部
５０    扇風機
【図１】
2010203399.tif 000003
【図２】
2010203399.tif 000004
【図３】
2010203399.tif 000005
【図４】
2010203399.tif 000006
【図５】
2010203399.tif 000007
【図６】
2010203399.tif 000008
【図７】
2010203399.tif 000009
【図８】
2010203399.tif 000010
【図９】
2010203399.tif 000011